(57)【要約】【課題】簡易的に雨風を防ぐことができる物品の運搬に使用するコンテナパレットに用いるカバー装置を提供する。【解決手段】パレット２０の周囲に第１〜第４の側枠２１〜２４を有するコンテナパレット１９に装着するカバー装置１０であって、中央が高くなって対向する側枠２２、２４の上部にその両端部が取り外し可能に取り付けられる支持枠１１と、立設状態で設けられている第１〜第４の側枠２１〜２４の上側を覆うカバーシート１４とを備え、天井シート材１３と、その４辺に上端が固定された第１〜第４の側シート材１５〜１８とを有し、しかも、隣り合う第１、第２の側シート材１５、１６と、第２、第３の側シート材１６、１７は固着状態で連結され、第４の側シート材１８の両側部は隣接する第１、第３の側シート材１５、１７の端部に取り付け取り外し可能に第１、第２のファスナー２６、２７によって固定されている。【選択図】図１
2012206771.tif 000002
【特許請求の範囲】
【請求項１】
平面視して矩形のパレットの周囲にそれぞれ折り曲げ可能に設けられた第１〜第４の側枠を有するコンテナパレットに装着するカバー装置であって、
中央が高くなって、前記第１〜第４の側枠のうち対向する側枠の上部にその両端部が取り外し可能に取り付けられる支持枠と、該支持枠を介して前記パレットに立設状態で設けられている前記第１〜第４の側枠の少なくとも上側を覆うカバーシートとを備え、
前記カバーシートは、立設状態の前記第１〜第４の側枠を上から覆う広さを有する矩形の天井シート材と、該天井シート材の４辺に上端が固定された第１〜第４の側シート材とを有し、しかも、隣り合う前記第１、第２の側シート材と、前記第２、第３の側シート材は固着状態で連結され、前記第４の側シート材の両側部は、該第４の側シート材に隣接する前記第１、第３の側シート材の端部に取り付け取り外し可能に第１、第２のファスナーによって固定されていることを特徴とするカバー装置。
【請求項２】
請求項１記載のカバー装置において、前記第１、第２のファスナーはジッパーであることを特徴とするカバー装置。
【請求項３】
請求項１又は２記載のカバー装置において、前記カバーシートは、糸、網又は布入り合成樹脂シートであることを特徴とするカバー装置。
【請求項４】
請求項１〜３のいずれか１に記載のカバー装置において、前記第１〜第４の側枠はそれぞれパイプ構造であって、前記支持枠の両端部には前記対向する側枠の最上部のパイプ材に嵌入する掛合部を有することを特徴とするカバー装置。
【発明の詳細な説明】
【技術分野】
【０００１】
本発明は、例えば廃家電の輸送に使用するコンテナパレットに用いるカバー装置に関する。
【背景技術】
【０００２】
従来、物品の輸送に使用するコンテナパレットに用いるカバー装置は、用途に応じて色々なものが開発されている。例えば、特許文献１に記載されたコンテナ用オーバーシートは、コンテナの開口部に平面状に張設する不織布と、その不織布と空間を成すように被装している防水性シートとからなり、前記不織布の縁部は、その一部が対向する防水性シートの縁部と固着しており、さらに、前記不織布と防水性シートは適宜適所においても固着している。さらに、固着している縁部間を湾曲に装架する棒材を設け、その棒材によって防水性シートを屋根型に形成している。
【０００３】
また、特許文献２において、少なくとも上面側に、内容物を通過させるための開口が設けられた、フレキシブルなシート材からなるコンテナ本体と、このコンテナ本体の内部に配置されて、内容物を収容する合成樹脂製の内袋と、上面部及び側面部を有し、上記コンテナ本体の上面及び側面を被覆できるよう構成された、不透水性のシート材からなるカバーと、を具備してなるフレキシブルコンテナが開示されている。
【先行技術文献】
【特許文献】
【０００４】
【特許文献１】特開２００１−０１６９７１号公報
【特許文献２】特開２００４−０２６２０２号公報
【発明の概要】
【発明が解決しようとする課題】
【０００５】
しかしながら、特許文献１、２で開示されているコンテナに用いるカバー装置は以下のような問題点があった。
（１）特許文献１においては、オーバーシートが風が吹いても飛ばされないように、オーバーシートの端部をひも等でコンテナ本体と結び付ける必要があり、使用勝手が悪かった。
（２）特許文献２においては、コンテナに内袋を用いて、内袋に内容物を完全に包むと高い防水性が得られるが、逆に廃家電のように多少濡れても構わない物品の場合、作業に手間がかかってしまう。
本発明は、かかる事情に鑑みてなされるもので、使い勝手がよく簡易的に雨風を防ぐことができる廃家電等の物品の運搬に使用するコンテナパレットに用いるカバー装置を提供することを目的とする。
【課題を解決するための手段】
【０００６】
前記目的に沿う本発明に係るカバー装置は、平面視して矩形のパレットの周囲にそれぞれ折り曲げ可能に設けられた第１〜第４の側枠を有するコンテナパレットに装着するカバー装置であって、
中央が高くなって、前記第１〜第４の側枠のうち対向する側枠の上部にその両端部が取り外し可能に取り付けられる支持枠と、該支持枠を介して前記パレットに立設状態で設けられている前記第１〜第４の側枠の少なくとも上側を覆うカバーシートとを備え、
前記カバーシートは、立設状態の前記第１〜第４の側枠を上から覆う広さを有する矩形の天井シート材と、該天井シート材の４辺に上端が固定された第１〜第４の側シート材とを有し、しかも、隣り合う前記第１、第２の側シート材と、前記第２、第３の側シート材は固着状態で連結され、前記第４の側シート材の両側部は、該第４の側シート材に隣接する前記第１、第３の側シート材の端部に取り付け取り外し可能に第１、第２のファスナーによって固定されている。
【０００７】
本発明に係るカバー装置において、前記第１、第２のファスナーはジッパーであることが好ましい。
【０００８】
本発明に係るカバー装置において、前記カバーシートは、糸、網又は布入り合成樹脂シートであることが好ましい。
【０００９】
本発明に係るカバー装置において、前記第１〜第４の側枠はそれぞれパイプ構造であって、前記支持枠の両端部には前記対向する側枠の最上部のパイプ材に嵌入する掛合部を有するのが好ましい。
【発明の効果】
【００１０】
本発明に係るカバー装置は、コンテナパレットの上部に中央部が高くなっている支持枠を介してカバーシートが設けられているので、天井部分が屋根形状となっており、野外で使用する場合、雨が降っても雨が天井部分に溜ることがない。また、カバーシートの天井シート材の１辺に上端が固定された第４の側シート材の両側部が第１、第２のファスナーで開閉可能となっているで、ファスナーを開閉することで、コンテナパレットへのカバーシ−トの着脱が容易に行われる。支持枠は脱着可能なので、カバー装置を使用しないときは、支持枠をはずしてカバーシートとともに折り畳んで収納することが可能である。
【００１１】
本発明に係るカバー装置において、第１、第２のファスナーがジッパーである場合、迅速且つ確実な着脱が可能になる。
【００１２】
本発明に係るカバー装置において、カバーシートが糸、網又は布入り合成樹脂シートである場合、防水性能が優れ破れ難い丈夫なカバー装置が提供できる。
【００１３】
そして、本発明に係るカバー装置において、側枠がパイプ構造であって、支持枠の両端部に側枠の最上部のパイプ材に嵌入する掛合部が設けられている場合、着脱に時間を要することなく、迅速な作業が可能となる。
【図面の簡単な説明】
【００１４】
【図１】本発明の一実施の形態に係るカバー装置をコンテナパレットに取り付けた状態を示す説明図である。
【図２】同カバー装置の支持枠が取り付けられたコンテナパレットの説明図である。
【図３】（Ａ）、（Ｂ）はそれぞれ同カバー装置の支持枠の斜視図、正面図である。
【図４】同カバー装置のカバーシートの展開図である。
【図５】同カバー装置の支持枠及びカバーシートの装着時の説明図である。
【発明を実施するための形態】
【００１５】
続いて、添付した図面を参照しつつ、本発明を具体化した実施の形態につき説明し、本発明の理解に供する。
図１に示すように、本発明の一実施の形態に係るカバー装置１０は、例えば、廃家電２８等の物品の輸送に使用するコンテナパレット１９に装着するカバー装置であって、中央が高くなって、コンテナパレット１９の上部にその両端部が取り外し可能に取り付けられる支持枠１１と、支持枠１１を介してコンテナパレット１９の少なくとも上側を覆うカバーシート１４とを備えている。以下、詳しく説明する。
【００１６】
図１、図２に示すように、平面視して矩形のコンテナパレット１９は、パレット２０を底面にして、その周囲にそれぞれ折り曲げ可能に第１〜第４の側枠２１〜２４が設けられている。ここでは、第１の側枠２１は、中央で分割されて観音開きの扉になっており、それぞれの扉の基部が第２、第４の側枠２２、２４に回動自在に取り付けられている。この扉を開いた状態で、廃家電２８が出し入れされる。第３の側枠２３は、第１の側枠２１と対向して設けられている。そして、第２、第４の側枠２２、２４も同様に対向して設けられている。また、第１〜第４の側枠２１〜２４はそれぞれパイプ構造で、パイプ材で構成されている。
また、第２〜第４の側枠２２、２３、２４は、内側に折り畳み可能であり、また、第１の側枠２１も折り畳まれた第２、第４の側枠２２、２４の上に重ねて折り畳まれて内側に折り畳むことができる。そうすると、使用しないときはコンパクトにして複数のコンテナパレット１９を積み重ねることができる。
【００１７】
第１〜第４の側枠２１〜２４が立設した状態のコンテナパレット１９の扉（第１の側枠２１）を開いた状態で、廃家電２８（テレビ、エアコン内機等）が積み込まれる。
【００１８】
カバー装置１０の支持枠１１は、図２、図３（Ａ）、（Ｂ）に示すように、支持枠１１の中央部が高くなって“への字”状に形成されている。また、支持枠１１の両端部には、下方に向かって“コの字”状に形成された掛合部１２が形成されている。この掛合部１２をコンテナパレット１９の対向する第２、第４の側枠２２、２４の最上部のパイプ材２５ａ、２５ｂにそれぞれ嵌入することにより、支持枠１１をカバーシート１４に取り外し可能に固定することができる。この支持枠１１は、鉄製のパイプの両端部に掛合部１２が溶接されている。このように掛合部１２が“コの字”状に形成されているので、引掛けて置くだけでカバー装置１０の天井部を簡単に屋根形状とし、水溜りを防止することができる。
【００１９】
次に、支持枠１１を介して立設状態の第１〜第４の側枠２１〜２４の少なくとも上側を覆うカバーシート１４について説明する。
図１、図５に示すように、カバーシート１４は、立設状態の第１〜第４の側枠２１、２２、２３、２４を上から覆う広さを有する矩形の天井シート材１３と、天井シート材１３の４辺に上端が固定された第１〜第４の側シート材１５、１６、１７、１８とを有し、しかも、隣り合う第１、第２の側シート材１５、１６と、第２、第３の側シート材１６、１７は固着状態で連結され、第４の側シート材１８の両側部は、第４の側シート材１８に隣接する第１、第３の側シート材１５、１７の端部に取り付け取り外し可能に第１、第２のファスナー２６、２７の一例であるジッパーによって固定されている。
【００２０】
なお、カバーシート１４の製造は、図４に示すように、中央に配置された矩形の天井シート材１３の４辺に第１〜第４の側シート材１５、１６、１７、１８が固定されている。そして、隣り合う第１、第２の側シート材１５、１６と、第２、第３の側シート材１６、１７を固着状態で連結して行う。ここで固着状態の連結は、縫製、溶着、接着によって行うことができる。第４の側シート材１８の両側部は、第４の側シート材１８に隣接する第１、第３の側シート材１５、１７の端部に取り付け取り外し可能に第１、第２のファスナー２６、２７によって開閉自在に固定する。また、第１〜第４の側シート材１５〜１８の端部には、複数のハトメリング２９が設けられている。
【００２１】
また、図４では、カバーシート１４の寸法の一例として、ここで用いるコンテナパレット１９に合わせて、天井シート材１３は２２８０ｍｍ×１８５０ｍｍで、第１〜第４の側シート材１５、１６、１７、１８はそれぞれ２２８０ｍｍ×１０００ｍｍとしているが、用途に応じて例えば１０００ｍｍである高さ寸法は変更して長くしたり短くしたりして、使用することも可能である。また、コンテナパレット自体の大きさが変わればそれに合わせた大きさになる。
カバーシート１４の材質は、硬質塩化ビニール等の合成樹脂シートであり、その防水の役割を果たすもので有れば、特に素材は限定されるものではない。また破損の強度を上げるためには糸、網又は布入りの合成樹脂シートを用いるのが望ましい。
さらに、第１、第２のファスナー２６、２７は本実施の形態ではジッパーを使用したが、面ファスナーと呼ばれるフック状に起毛された側とループ状に密集して起毛された側とを押し付けて貼り付くものを用いてもよい。
【００２２】
カバー装置１０をコンテナパレット１９に装着する場合、図２に示すように、まず、支持枠１１を第２、第４の側枠２２、２４にかけ渡すようにしてコンテナパレット１９に取り付ける。その後、コンテナパレット１９には、廃家電２８が積み込まれて、第１の側枠２１である観音開きの扉が閉じられる。支持枠１１を介してコンテナパレット１９の上側から第１、第２のファスナー２６、２７が開いた状態のカバーシート１４がかけられ、第１、第２のファスナー２６、２７を閉じる。そして、このような状態では、支持枠１１は中央が高くなっているので、雨が降ってもカバーシート１４の天井部には雨水が溜まりにくくなっている。また、カバーシート１４は、コンテナパレット１９の側枠の上半分を覆うようになっているので、半分以上雨があたらなくすることができる。これは、廃家電２８の簡易的な雨対策には十分であり、なお且つコンテナパレット１９の下部から廃家電２８の内容が確認できるので都合がよい。
【００２３】
また、カバーシート１４のコンテナパレット１９への取り付け作業は、第１、第２のファスナー２６、２７が開いた状態で行い、取り付けが完了したら第１、第２のファスナー２６、２７を閉じるようにして行うので、カバー装置１０を装着したコンテナパレット１９をそのまま、屋根のない平ボディのトラックに積んで運ぶことができ、トラック荷台でのシート掛けや取り外し作業が必要でなくなり、荷積みの時間短縮ができる。
【００２４】
また必要に応じて、支持枠１１を、複数並べて第２、第４の側枠２２、２４を渡すようにして屋根の梁を形成してもよい。そうすることにより屋根の強度が増す。
さらに、基本的には、風では飛びにくくなっているが、第１〜第４の側シート材１５〜１８のハトメリング２９にひも等を通して、必要に応じてコンテナパレット１９の枠に結びつけ、さらに強風が吹いてもカバーシート１４が飛ばされることがないように補強してもよい。
【００２５】
以上、本発明の実施の形態を説明したが、本発明は、上記した形態に限定されるものでなく、要旨を逸脱しない条件の変更等は全て本発明の適用範囲である。
【符号の説明】
【００２６】
１０：カバー装置、１１：支持枠、１２、掛合部、１３：天井シート材、１４：カバーシート、１５：第１の側シート材、１６：第２の側シート材、１７：第３の側シート材、１８：第４の側シート材、１９：コンテナパレット、２０：パレット、２１：第１の側枠、２２：第２の側枠、２３：第３の側枠、２４：第４の側枠、２５ａ、２５ｂ：最上部のパイプ材、２６：第１のファスナー、２７：第２のファスナー、２８：廃家電、２９：ハトメリング
【図１】
2012206771.tif 000003
【図２】
2012206771.tif 000004
【図３】
2012206771.tif 000005
【図４】
2012206771.tif 000006
【図５】
2012206771.tif 000007